(57)【要約】【課題】  プリンタに印刷制御装置を組み合わせた印刷システムにおいて、プリンタが印刷制御に影響を与える所定の部材について複数のタイプに対応可能に構成されている場合に、ユーザの作業負担を軽減しつつ、常にタイプ情報に応じた適切な印刷結果を得ることができる枠組みを提供することを目的とする。【解決手段】    所定の印刷パラメータに関して選択可能なパラメータ値を表示する手段と、前記所定の印刷パラメータに関して選択したパラメータ値に基づき、印刷制御シーケンスを実行する手段と、を備える印刷制御装置であって、所定の部材について複数のタイプに対応可能に構成されるプリンタから、該所定部材のタイプ情報を取得する手段と、前記取得したタイプ情報に基づいて、前記表示する手段において表示する選択可能なパラメータ値を決定する手段と、を備えることを特徴とする。【選択図】  図４
2005346335.tif 000002
【特許請求の範囲】
【請求項１】
所定の印刷パラメータに関して選択可能なパラメータ値を表示する手段と、
前記所定の印刷パラメータに関して選択したパラメータ値に基づき、印刷制御シーケンスを実行する手段と、を備える印刷制御装置であって、
所定の部材について複数のタイプに対応可能に構成されるプリンタから、該所定部材のタイプ情報を取得する手段と、
前記取得したタイプ情報に基づいて、前記表示する手段において表示する選択可能なパラメータ値を決定する手段と、を備えることを特徴とする印刷制御装置。
【請求項２】
前記所定の印刷パラメータは印刷用紙種であり、前記タイプ情報はプリンタにセットされるインクのタイプであることを特徴とする請求項１記載の印刷制御装置。
【請求項３】
前記印刷制御装置はスキャナ機能を備えており、前記印刷制御シーケンスがスキャンに関わる処理を含むことを特徴とする請求項１又は２記載の印刷制御装置。
【請求項４】
前記決定する手段は、前記部材情報を取得する前に前記表示する手段において前記所定の印刷パラメータに関して選択可能なパラメータ値を表示する場合、選択可能なパラメータ値を暫定的に決定することを特徴とする請求項１乃至３のいずれか１項に記載の印刷制御装置。
【請求項５】
請求項１乃至４のいずれか１項に記載の印刷制御装置と、所定の部材について複数のタイプに対応可能に構成されるプリンタとを含む印刷システムであって、
前記プリンタは、
前記印刷制御装置から送信される印刷データに基づいて印刷を実行する機能と、
前記所定部材のタイプ情報を前記印刷制御装置に送信する機能とを備えることを特徴とする印刷システム。
【請求項６】
所定の印刷パラメータに関して選択可能なパラメータ値を表示する工程と、
前記所定の印刷パラメータに関して選択したパラメータ値に基づき、印刷制御シーケンスを実行する工程と、を備える印刷制御方法であって、
所定の部材について複数のタイプに対応可能に構成されるプリンタから、該所定部材のタイプ情報を取得する工程と、
前記取得したタイプ情報に基づいて、前記表示する手段において表示する選択可能なパラメータ値を決定する工程と、を備えることを特徴とする印刷制御方法。
【発明の詳細な説明】
【技術分野】
【０００１】
本発明は、プリンタの印刷動作を制御する印刷制御装置に関わり、特に、印刷制御装置において印刷パラメータの選択メニューを表示する技術に関する。
【背景技術】
【０００２】
印刷システムの一般的な構成として、プリンタに印刷制御装置（印刷データや各種コマンド等を送信し、印刷動作を制御する装置）を組み合わせた構成が知られている（特許文献１参照）。
【０００３】
このようなシステムにおいて、プリンタが印刷制御に影響を与える所定の部材について複数のタイプに対応可能に構成されている場合、印刷制御装置は、その部材のタイプや状態（以下「タイプ情報」という）に応じて印刷データを生成する必要がある。例えば、プリンタが複数のインクタイプから所定のものを選択してインクカートリッジをセットできる構成となっている場合、インクタイプによって使用できる印刷用紙種が異なり、更に印刷用紙種によって印刷データを生成する際に好適な解像度、画像処理パラメータ、使用するＬＵＴ（Look-Up Table）等が変わってくるからである。
【特許文献１】特開平１１−４３６７号公報
【発明の開示】
【発明が解決しようとする課題】
【０００４】
従来の印刷システムでは、所定の部材についてタイプに変更があった場合、ユーザが自ら、印刷制御装置が提示するメニューにおいて、変更後のタイプ情報に対応するパラメータ値を選択し、印刷制御装置は、ユーザが選択したパラメータ値に従って、タイプ情報に応じた印刷データを生成する、という枠組みを採る場合が多い。
【０００５】
例えば、プリンタにフォトブラックインクがセットされている場合、ユーザは、フォトブラックインクが写真用紙用のインクであることを把握した上で、印刷制御装置が提示する印刷パラメータ選択メニューの印刷用紙種を選択する項目において、フォトブラックインクに対応する写真用紙を選択することになる。
【０００６】
しかし、このような枠組みのもとでは、ユーザは、印刷をしようとする都度、１）プリンタを調べて、その時点におけるタイプ情報（例えば、プリンタにセットされているインクタイプ等）を確認し、２）印刷制御装置のメニューにおいて、確認したタイプ情報に対応するパラメータ値を選択する、という煩雑な作業を行わなければならず、その負担は小さくない。
【０００７】
逆に、もし上記の１）の確認作業を行わないと、例えばプリンタに写真用紙用のフォトブラックインクがセットされているにもかかわらず、印刷制御装置のメニューにおいて写真用紙以外の用紙（例えばフォトマット紙）を選択してしまう可能性があり、その場合、生成された印刷データでは適切な印刷結果を得られないことになる。
【０００８】
そこで、本発明は、プリンタに印刷制御装置を組み合わせた印刷システムにおいて、プリンタが印刷制御に影響を与える所定の部材について複数のタイプに対応可能に構成されている場合に、ユーザの作業負担を軽減しつつ、常にタイプ情報に応じた適切な印刷結果を得ることができる枠組みを提供することを目的とする。
【課題を解決するための手段】
【０００９】
本発明の印刷制御装置は、所定の印刷パラメータに関して選択可能なパラメータ値を表示する手段と、前記所定の印刷パラメータに関して選択したパラメータ値に基づき、印刷制御シーケンスを実行する手段と、を備える印刷制御装置であって、所定の部材について複数のタイプに対応可能に構成されるプリンタから、該所定部材のタイプ情報を取得する手段と、前記取得したタイプ情報に基づいて、前記表示する手段において表示する選択可能なパラメータ値を決定する手段と、を備えることを特徴とする。
【００１０】
好適には、前記所定の印刷パラメータは印刷用紙種であり、前記タイプ情報はプリンタにセットされるインクのタイプであることを特徴とする。
【００１１】
また好適には、前記印刷制御装置はスキャナ機能を備えており、前記印刷制御シーケンスがスキャンに関わる処理を含むことを特徴とする。
【００１２】
かかる構成によれば、ユーザは、プリンタに実際に実装されている部材（例えば、インクカートリッジ）のタイプを確認するという煩雑な作業を行うことなく、メニュー画面においてプリンタに実装されている部材のタイプ情報に整合するパラメータ値（例えば、印刷用紙種）を選択することができ、その結果、印刷制御装置にタイプ情報に応じた印刷データを適切に生成させることが可能となる。
【００１３】
好適には、前記決定する手段は、前記部材情報を取得する前に前記表示する手段において前記所定の印刷パラメータに関して選択可能なパラメータ値を表示する場合、選択可能なパラメータ値を暫定的に決定することを特徴とする。
【００１４】
かかる構成によれば、タイプ情報を取得する前にユーザから印刷制御シーケンスに関わる操作を受け付けた場合であっても、メニュー画面の表示を含む印刷制御シーケンスを適切に実行することができる。
【００１５】
本発明の印刷システムは、本発明の印刷制御装置と、所定の部材について複数のタイプに対応可能に構成されるプリンタとを含む印刷システムであって、前記プリンタは、前記印刷制御装置から送信される印刷データに基づいて印刷を実行する機能と、前記所定部材のタイプ情報を前記印刷制御装置に送信する機能とを備えることを特徴とする。
【００１６】
また本発明の印刷制御方法は、所定の印刷パラメータに関して選択可能なパラメータ値を表示する工程と、前記所定の印刷パラメータに関して選択したパラメータ値に基づき、印刷制御シーケンスを実行する工程と、を備える印刷制御方法であって、所定の部材について複数のタイプに対応可能に構成されるプリンタから、該所定部材のタイプ情報を取得する工程と、前記取得したタイプ情報に基づいて、前記表示する手段において表示する選択可能なパラメータ値を決定する工程と、を備えることを特徴とする。
【００１７】
本発明の印刷制御方法は、印刷制御装置が備えるＣＰＵにより実施することができるが、そのためのコンピュータプログラムは、ＣＤ−ＲＯＭ、磁気ディスク、半導体メモリ及び通信ネットワークなどの各種の媒体を通じて印刷制御装置にインストールまたはロードすることができる。
【発明の効果】
【００１８】
本発明によれば、プリンタに印刷制御装置を組み合わせた印刷システムにおいて、所定の部材についてタイプに変更があった場合に、ユーザの入力負担を軽減しつつ、常にタイプ情報に応じた適切な印刷結果を得ることができる。
【発明を実施するための最良の形態】
【００１９】
本発明を実施するための最良の形態について以下説明する。図１は、本発明の実施形態における印刷システム１の外観を示す。図１に示すように本印刷システム１は、スキャナ１０とプリンタ３０とから構成され、両者は互いにケーブル５０を介して接続されている。ただし、両者を通信ネットワーク（ＬＡＮ、インターネット、専用線、パケット通信網、それらの組み合わせ等のいずれであってもよく、有線、無線の両方を含む）を介して接続する構成としてもよい。
【００２０】
スキャナ１０は、写真、文書、図面、フィルムなどの原稿を光学的に走査（スキャン）して、印刷対象の画像データを取得するスキャナ機能を有する。更に、スキャナ１０は、取得した画像データに基づき印刷データを生成し、印刷を指示するコマンド等とともに該印刷データをプリンタ３０に送信する機能を備えており、プリンタ３０に対する印刷制御装置としても動作する。
【００２１】
図１に示すように、スキャナ１０は、液晶パネル１６、十字ボタン１７１、“ＯＫ”ボタン１７２、選択ボタン群１７３、ホルダ挿入口１８、扉１９、カードスロット（図示せず）等を有する。
【００２２】
液晶パネル１６には、印刷パラメータ等の各種設定を行うためのメニュー画面が表示される。十字ボタン１７１は、液晶パネル１６に表示されたメニュー画面内での印刷パラメータの項目やパラメータ値を選択するためのボタンである。“ＯＫ”ボタン１７２は、十字ボタン１７１で選択された項目等を確定するためのボタンである。選択ボタン群１７３は、複数のボタンから構成され、画像の焼き増しを行うためのボタンや読み取った画像をメモリカードに保存するときに使用されるボタン等からなる。
【００２３】
ホルダ挿入口１８は、ネガフィルムや写真などを載置するホルダをスキャナ１０内に挿入するための挿入口である。このホルダをホルダ挿入口１８から挿入することで、載置されたフィルム等がスキャンされ、その画像データがスキャナ１０内に取り込まれる。
【００２４】
扉１９は、開閉可能にスキャナ１０に取り付けられている。この扉１９を開くと、各種メモリカードを差し込むことができるカードスロット（図示せず）が露出するよう構成されている。スキャナ１０は、カードスロットを介してメモリカードに記憶された印刷対象の画像データをスキャナ１０に読み込むことができる。
【００２５】
図１に示すように、プリンタ３０は、給紙トレイ３８、排紙トレイ３９等を有する。給紙トレイ３８には印刷用紙４０がセットされる。ユーザがスキャナ１０の十字ボタン１７１等を操作することでプリンタ３０に印刷を指示するコマンド等が通知されると、給紙トレイ３８から印刷用紙４０が給紙され、印刷が実行される。そして、排紙トレイ３９に印刷後の印刷用紙４０が排紙される。
【００２６】
図２は、印刷システム１のハードウェア構成を示すブロック図である。
【００２７】
スキャナ１０は、データ取得部２１、ＣＰＵ２２、ＲＯＭ２３、ＲＡＭ２４、外部インターフェース（Ｉ／Ｆ）２５、表示部２６、操作ボタン２７、及び画像メモリ２８等のハードウェアを備えて構成される。また、データ取得部２１等は互いにバスを介して接続される。
【００２８】
データ取得部２１は、印刷対象の画像データを取得するための手段である。ホルダ挿入口１８から挿入されたフィルム等のスキャン結果や、カードスロットから挿入されたメモリカードに記憶された画像データは、かかるデータ取得部２１によってスキャナ１０内に取り込まれる。
【００２９】
ＣＰＵ２２は、ＲＯＭ２３に格納されたプログラムを適宜読み出して各種処理を実行する。例えば、表示部２６におけるメニュー画面表示処理や、データ取得部２１で取得した画像データに対して色変換処理やハーフトーン処理等の画像処理を行う。
【００３０】
メニュー画面としては、例えば、用紙種類（写真用紙、フォトマット紙など）、出力サイズ（Ａ４、Ｌ判、ロール紙など）、印刷品質モード（「きれい」、「高精細」など）などの印刷パラメータを選択するためのメニュー画面を考えることができる。
【００３１】
ＲＯＭ２３には、ＣＰＵ２２が実行する各種プログラムが格納される。また、ＲＯＭ２３には、所定の部材に関するタイプ情報と、所定の印刷パラメータに関してメニュー画面において選択可能なパラメータ値（以下、「選択可能パラメータ値」という）との対応関係が格納される。
【００３２】
ここで、所定の部材・タイプ情報、所定の印刷パラメータは、設計に応じて具体的に定めることができるが、本実施形態では、所定部材及びタイプ情報として、プリンタ３０にセットされるインクカートリッジ及び該インクカートリッジに装填されるインクのインクタイプ（フォトブラック、マットブラック）の情報を採用し、所定の印刷パラメータとして、印刷用紙種を採用する。
【００３３】
図３に、ＲＯＭ２３に格納される、タイプ情報（インクタイプ）と、所定の印刷パラメータ（印刷用紙種）に関する選択可能パラメータ値との対応関係の例を示す。この例では、フォトブラックに対しては選択可能パラメータ値として写真用紙が対応付けられており、マットブラックに対しては選択可能パラメータ値としてフォトマット紙が対応付けられている。
【００３４】
またＲＯＭ２３には、前記所定の印刷パラメータ（印刷用紙種）に関して、プリンタ３０にセットされるインクカートリッジのタイプ情報（インクタイプ）が不明な場合に暫定的にメニュー画面において表示する選択可能なパラメータ値（以下、「暫定選択可能パラメータ値」という）の情報も格納される。
【００３５】
かかる暫定選択可能パラメータ値も設計に応じて定めることができるが、例えば実際のタイプ情報が不明な場合には高品質の印刷（写真用紙への印刷）を行うことを前提として印刷動作を制御すべく、印刷用紙種の暫定選択可能パラメータ値として写真用紙を設定しておくことが考えられる。
【００３６】
ＲＡＭ２４には、ＣＰＵ２２が実行する処理の処理中や処理後のデータが格納される。また、ＲＡＭ２４は、ＣＰＵ２２のワーキングメモリとしての役割も果たす。
【００３７】
外部Ｉ／Ｆ２５は、プリンタ３０と接続され、ＣＰＵ２２の制御により印刷データ等を所定の伝送フォーマットに変換してプリンタ３０に出力するとともに、プリンタ３０から出力されたデータをスキャナ１０の内部で処理できるデータに変換する。
【００３８】
表示部２６は、ＣＰＵ２２の制御により、液晶パネル１６に種々のメニュー画面を表示する。操作ボタン２７は、表示部１６に表示されたメニュー画面内において印刷パラメータを選択する等のためのボタンで、図１における十字ボタン１７１、“ＯＫ”ボタン１７２、選択ボタン群１７３に相当する。
【００３９】
画像メモリ２８は、データ取得部２１で取得した画像データを展開、格納するためのメモリである。ＣＰＵ２２は、画像メモリ２８に格納された画像データに対して上述した各種処理を行い、印刷データを生成する。
【００４０】
次に、プリンタ３０の構成について説明する。図２に示すように、プリンタ３０は、外部Ｉ／Ｆ３１、ＣＰＵ３２、ＲＯＭ３３、ＲＡＭ３４、エンジンコントローラ３６、及び印刷エンジン３７等のハードウェアを備えて構成される。また、外部Ｉ／Ｆ３１、ＣＰＵ３２、ＲＯＭ３３、ＲＡＭ３４、及びエンジンコントローラ３６は互いにバスを介して接続される。
【００４１】
外部Ｉ／Ｆ３１は、ＣＰＵ３２の制御により所定の伝送フォーマットでスキャナ１０から出力された印刷データ等のデータを受け付けて、プリンタ３０内で処理できるデータに変換するとともに、データを所定の伝送フォーマットに変換してスキャナ１０に出力する。
【００４２】
ＣＰＵ３２は、ＲＯＭ３３に格納されたプログラムを適宜読み出して、印刷データに対する各種処理を実行する。
【００４３】
ＲＯＭ３３には、ＣＰＵ３２が実行する各種プログラムが格納される。
【００４４】
ＲＡＭ３４には、ＣＰＵ３２が実行する処理の処理中や処理後のデータが格納される。また、ＲＡＭ３４は、ＣＰＵ３２のワーキングメモリとしての役割も果たす。
【００４５】
エンジンコントローラ３６は、印刷エンジン３７と接続され、ＣＰＵ３２からの制御命令により印刷エンジン３７に対して印刷動作を実行させる。
【００４６】
印刷エンジン３７は、例えば、各色（シアン、マゼンタ、イエロー、ブラックなど）のインクカートリッジ、各色のインクを吐出するヘッド、印刷用紙４０を移動させるローラ等から構成される。エンジンコントローラ３６からの制御信号により各部が動作し、スキャナ１０で取得した画像データ等に基づき印刷用紙４０に画像が形成される。
【００４７】
ここで、本実施形態の印刷エンジン３７は、所定の色のインクカートリッジについて、複数のインクタイプに対応可能な構成になっている。例えばブラックのインクカートリッジとして、写真用紙用のフォトブラック及びフォトマット紙用のマットブラックのいずれかのインクタイプのカートリッジを選択してセットすることができる。また、インクタイプに対応させて、複数タイプの印刷用紙（例えば写真用紙やフォトマット紙）を選択してセットすることができる構成となっている。
【００４８】
このように構成された印刷システム１における動作の概要を説明する。まず、スキャナ１０に画像を取り込むためのメニュー画面を操作ボタン２７の操作により表示部２６に表示させる。そして、操作ボタン２７を操作することで、データ取得部２１から印刷対象の画像データがスキャナ１０に取り込まれる。画像データは、例えば、画像メモリ２８に展開、格納される。そして、画像データに対して上述した画像処理が行われて印刷データが生成され、スキャナ１０から印刷を指示するコマンド等とともに該印刷データがプリンタ３０に出力される。そして、プリンタ３０のＣＰＵ３２は、かかる印刷データやコマンド等に基づいて印刷を行うための制御信号をエンジンコントローラ３６に出力して印刷エンジン３７を動作させ、その結果、印刷エンジン３７により印刷用紙４０に画像が形成される。
【００４９】
以下、図４を参照して、スキャナ１０における印刷制御処理について説明する。なお、各工程（符号が付与されていない部分的な工程を含む）は処理内容に矛盾を生じない範囲で任意に順番を変更して又は並列に実行することができる。
【００５０】
スキャナ１０（より厳密にはスキャナ１０のＣＰＵ２２）は、電源がＯＮされると（又はリセットされると）、プリンタ３０との間で所定の接続確認処理を実行する（Ｓ１００）。例えば、スキャナ１０とプリンタ３０とがＵＳＢ（Universal Serial Bus）規格に基づき接続されている場合、ＵＳＢ標準プロトコルに従って接続確認処理を実行する。
【００５１】
次に、スキャナ１０は、接続が確認されたプリンタ３０に対して、タイプ情報の問い合わせを行う（Ｓ１０１）。
【００５２】
かかる問い合わせを受けて、プリンタ３０は、プリンタ３０にセットされているインクカートリッジ等の情報に基づきインクタイプの情報（例えば、インクタイプＩＤ）を取得し、タイプ情報としてスキャナ１０に対して通知する。
【００５３】
ただし、本実施形態のプリンタ３０は、電源がＯＮされると（又はリセットされると）、スキャナ１０との接続確認処理を実行するとともに、所定の初期処理（インクカートリッジ等についてのエラーチェック処理など）を実行し、かかる初期処理が終了してからタイプ情報をスキャナ１０に通知する構成となっている。そのため、初期処理が終了する前にスキャナ１０からタイプ情報の問い合わせを受け付けた場合は、タイプ情報が不明であることをスキャナ１０に対して通知することになる。
【００５４】
次に、スキャナ１０は、プリンタ３０から受け付けた通知に基づき、プリンタ３０のタイプ情報を取得できたかどうかを判断する（Ｓ１０２）。
【００５５】
タイプ情報を取得できた場合、スキャナ１０は、ＲＯＭ２３に格納される印刷用紙種に関する対応関係（図３参照）を参照して、前記取得したタイプ情報に対応する選択可能パラメータ値を読み出し、印刷用紙種の選択可能パラメータ値を決定する（Ｓ１０３）。
【００５６】
次に、スキャナ１０は、印刷用紙種を選択するためのメニュー画面に関して、前記決定した選択可能パラメータ値のみが選択可能に表示されるようにメニュー画面を構成する（又はそのようなメニュー画面を選択する）（Ｓ１０４）。
【００５７】
例えば、前記決定した選択可能パラメータ値が写真用紙である場合は、印刷用紙種として「写真用紙」のみが選択可能に表示されるように、前記決定した選択可能パラメータ値がフォトマット紙である場合は、印刷用紙種として「フォトマット紙」のみが選択可能に表示されるように、メニュー画面を構成する。
【００５８】
次に、スキャナ１０は、ユーザの操作に応じて、プレスキャン処理、前記構成したメニュー画面を表示する処理、前記構成したメニュー画面等を介してユーザからパラメータ値を受け付ける処理、前記受け付けたパラメータ値等に基づくスキャン処理、前記受け付けたパラメータ値等に基づく画像処理（画像編集、色変換、２値化など）、印刷データの生成、印刷データのキューイング、印刷データの送信などの一連の印刷制御シーケンスを実行する（Ｓ１０５）。
【００５９】
一方、タイプ情報を取得できなかった場合、（一定時間が経過しても通知が来ない場合を含む）、スキャナ１０は、ユーザから印刷制御シーケンスに関わる操作を受け付けたかどうかを判定する（Ｓ１０６）。
【００６０】
そして、操作を受け付けていない場合は、Ｓ１０２に再帰し、受け付けている場合は、ＲＯＭ２３を参照し、印刷用紙種に関する暫定選択可能パラメータ値（例えば、写真用紙）を読み出す（Ｓ１０７）。
【００６１】
次に、スキャナ１０は、印刷用紙種を選択するメニュー画面に関して、暫定選択可能パラメータ値（例えば、写真用紙）が選択可能に表示されるようにメニュー画面を構成する（又はそのようなメニュー画面を選択する）（Ｓ１０８）。
【００６２】
なお、この場合、暫定選択可能パラメータ値に該当しない他のパラメータ値（例えば、フォトマット紙）については、メニュー画面に全く表示しない態様としても、例えばグレーで表示するなど、メニュー画面に表示はするものの選択できないようにする態様としてもよい。
【００６３】
次に、スキャナ１０は、ユーザの操作に応じて、プレスキャン処理、前記構成したメニュー画面の表示処理、前記構成したメニュー画面等を介してユーザからパラメータ値を受け付ける処理、前記受け付けたパラメータ値等に基づくスキャン処理、前記受け付けたパラメータ値等に基づく画像処理（画像編集、色変換、２値化など）、印刷データの生成、印刷データのキューイング、印刷データの送信などの一連の印刷制御シーケンスを実行する（Ｓ１０５）。
【００６４】
なお、暫定選択可能パラメータ値によりメニュー画面を構成した後でも、印刷制御シーケンスの実行中にタイプ情報が取得できた場合には、その時点でＳ１０３、Ｓ１０４を実行し、タイプ情報に応じた選択可能パラメータ値を表示するようにメニュー画面を構成して表示することが望ましい。
【００６５】
このように本実施形態では、スキャナ１０が接続先のプリンタ３０から所定の部材のタイプ情報を取得して、所定の印刷パラメータに関して前記取得したタイプ情報に対応する選択可能パラメータ値のみが表示されるようにメニュー画面を構成しているため、ユーザは、プリンタ３０に実際に実装されている部材のタイプを確認するという煩雑な作業を行うことなく、メニュー画面においてプリンタ３０に実装されている部材のタイプ情報に整合するパラメータ値を選択することができ、その結果、スキャナ１０にタイプ情報に応じた印刷データを適切に生成させることが可能となる。
【００６６】
（その他）
本発明は上記実施形態に限定されることなく、種々に変形して適用することが可能である。例えば、上記実施形態では、印刷制御装置としてスキャナ１０を例に説明しているが、本発明の印刷制御装置は必ずしもスキャナ機能を有している必要はない。換言すれば、本発明は、スキャンに関わる処理（プレスキャンやスキャンの他、スキャン解像度を特定する処理など）を含まない印刷制御シーケンス（例えば、メニュー画面の提示、ユーザ入力の受け付け、画像の読み込み、画像処理（画像編集、色変換、２値化など）、印刷データの生成、印刷データのキューイング、印刷データの送信などの各処理を含む印刷制御シーケンス）を実行する印刷制御装置に対しても、適用可能である。
【００６７】
また、上記実施形態では、タイプ情報としてインクタイプを採用し、インクタイプに基づいて印刷用紙種の選択可能パラメータ値を選択する構成を採用しているが、本発明はこのような構成に限られるものではない。例えば、インクタイプに代えて又は加えて他の部材のタイプ情報を利用してもよく、また印刷用紙種に代えて又は加えて他の印刷パラメータについて選択可能パラメータ値を選択する構成としてもよい。また、スキャナ１０は、プリンタ３０から、タイプ情報のみならず、印刷動作に利用する種々のプリンタ情報を併せて取得してもよい。
【００６８】
また、上記実施形態では、フォトブラックに対して写真用紙、マットブラックに対してフォトマット紙のように、タイプ情報に対して一つの選択可能パラメータ値を対応させているが、タイプ情報に対応させる選択可能パラメータ値の数は、設計に応じて任意に定めることが可能である。
【００６９】
逆に、上記実施形態のようにタイプ情報に対して一つの選択可能パラメータ値を対応させる場合であれば、ユーザが選択できるようにメニュー画面を構成する必要は必ずしもなく、スキャナ１０がその一つの選択可能パラメータ値を選択し、メニュー画面において固定表示する（ユーザは選択できない）構成としてもよい。
【００７０】
また、上記実施形態では、タイプ情報を取得できない場合に暫定選択可能パラメータ値を表示するようにメニュー画面を構成しているが、本発明はこのような構成に限られない。例えば、タイプ情報を取得できない場合、タイプ情報によって選択可能パラメータ値が変化する印刷パラメータに関しては、その印刷パラメータ自体を選択できないようにメニュー画面を構成することも考えられる。
【図面の簡単な説明】
【００７１】
【図１】本発明の実施形態における印刷システム１の外観図である。
【図２】本発明の実施形態における印刷システム１のハードウェア構成を示すブロック図である。
【図３】タイプ情報と選択可能パラメータ値の対応関係の例を示す図である。
【図４】スキャナ１０における印刷制御処理の処理内容を示すフローチャートである。
【符号の説明】
【００７２】
１  印刷システム、１０  スキャナ、１６  液晶パネル、１８  ホルダ挿入口、１９  扉、２１  データ取得部、２２  ＣＰＵ、２３  ＲＯＭ、２４  ＲＡＭ、２５  外部Ｉ／Ｆ、２６  表示部、２７  操作ボタン、２８  画像メモリ、３０  プリンタ、３１  外部Ｉ／Ｆ、３２  ＣＰＵ、３３  ＲＯＭ、３４  ＲＡＭ、３６  エンジンコントローラ、３７  印刷エンジン、４０  印刷用紙
【図１】
2005346335.tif 000003
【図２】
2005346335.tif 000004
【図３】
2005346335.tif 000005
【図４】
2005346335.tif 000006